(57)【特許請求の範囲】
【請求項１】
薬室の内壁が先細りの内錘形を形成している火砲に装填される空包であって、該内錘と適合する先細りの外錘形を形成した焼尽性薬莢筒体が金属製莢底により塞がれ、該薬莢筒体に充填されて火管と接触している発射薬が押え蓋で覆われ、流動性物質の入ったボトルからなる模擬砲弾が該薬莢筒体の先端を閉塞しつつ該押え蓋を押えつけていて、該ボトルは、内面側が樹脂でコーティングされた厚紙で成型されたものであることを特徴とする空包。
【請求項２】
該樹脂が、生分解性樹脂、及び耐水性樹脂から選ばれる樹脂であることを特徴とする請求項１に記載の空包。
【請求項３】
該流動性物質が、水および水溶液のいずれかの液体、水と砂とからなるスラリー、澱粉および寒天およびカルボキシメチルセルロースのいずれかと炭酸カルシウムと水とからなるゲル、澱粉およびタルクのいずれかの粉体、穀類および固形肥料および生分解性樹脂のいずれかの粒体から選ばれる一種類であることを特徴とする請求項１に記載の空包。
【請求項４】
該押え蓋は、焼尽性円板であって、該円板の中心から外周に向かって切り込みが設けられていることを特徴とする請求項１に記載の空包。
【発明の詳細な説明】
【０００１】
【発明の属する技術分野】
本発明は、実包射撃をすることなく、砲弾射撃演習や公開演習の射撃をするための空包に関するものである。
【０００２】
【従来の技術】
空包は、火砲による砲弾射撃演習や公開演習の射撃のデモンストレーションの際に、実包を用いることなく、実包射撃さながらの射撃音を発生させて臨場感を得るために使用されるものである。
【０００３】
実包射撃には、図３に示すように、火砲２の砲筒２５へ繋がる薬室２４の先細り内錘形の内錘斜面に、実包４０の薬莢３８の外壁錘があたるように装填される。発射薬の充填された薬莢３８の先端には、弾丸３９が挿入されている。火砲２砲尾の閉鎖器２２を閉じた後、発射薬の燃焼により発生した燃焼ガスの圧力で弾丸３９が発射される。弾丸３９の発射の強い反作用により、薬莢３８は外部へ排出される。すぐさま次弾の実包を装填して、連続射撃を行う。
【０００４】
空包射撃には、実包射撃と同じ火砲２が使用される。従来の空包３０は、同図の実線で示すように、実包の薬莢３８の上半部を切除した短い薬莢３３に小量の発射薬３５が充填されている。実包射撃に似た発射音を発生させるため、密閉性と圧力とを保持する相当量のフェルト３６が発射薬３５を覆っている。薬莢３３先端には、プラスチックやコルクや紙で形成された軽量な空包栓３７が挿入されている。射撃の際、薬室２４内に空包３０を装填し、薬莢３３のフランジ３２を火砲２に係合させ、砲尾を閉鎖器２２で閉鎖する。薬莢３３の火管３１により発射薬３５が燃焼して燃焼ガスを発生する。そのとき射撃音が発生すると同時に、衝撃で破断したフェルト３６や空包栓３７の小片は、燃焼ガスの圧力で砲筒２５先端から吐出され飛散する。
【０００５】
この破断小片が思いもよらない距離や方向に飛散し、その小片尖先は公開演習の観客等に当たる虞があるので、空包射撃をする場所は広大な演習場に限定されてしまう。そのうえ破断小片は、その回収が面倒であり、残留してしまうと環境保全の面から問題となる。
【０００６】
この破断小片が軽量でありまた空包３０の発射薬量が少量であるので、たとえ破断小片は火砲前方の器物等に衝突しても損壊させるほどの威力がない。その反面、軽量な空包栓３７が破断して吐出されるだけでは、実包の弾丸発射のような強い反作用を生じないので、薬莢３３が薬室２４内に残存してしまう。薬莢３３を取除く操作は、煩雑なうえ連続射撃の妨げとなってしまう。
【０００７】
さらにこの空包３０は実包４０に比べ短くて軽いため、長くて重い実包４０の使用を想定した射撃演習には不適当である。
【０００８】
【発明が解決しようとする課題】
本発明は、実包とほぼ同じの重量と形状とを有し、実包射撃と同様な、射撃音と操作性とが得られるうえ、安全に連続して射撃でき、さらに火砲内外にほとんど残渣を残留さない、簡便な空包を提供することを目的とする。
【０００９】
【課題を解決するための手段】
前記の目的を達成するためになされた本発明の空包は、実施例に対応する図面を参照して説明すると、以下のとおりである。
【００１０】
本発明の空包１は、図１に示すとおり、薬室２４の内壁が先細りの内錘形を形成している火砲２に装填される空包であって、該内錘と適合する先細りの外錘形を形成した焼尽性薬莢筒体１４が金属製莢底１３により塞がれ、該薬莢筒体１４に充填されて火管１１と接触している発射薬１５が押え蓋１６で覆われ、流動性物質１７の入ったボトル１８からなる模擬砲弾１９が該薬莢筒体１４の先端を閉塞しつつ該押え蓋１６を押えつけている。
【００１１】
ボトル１８は、内面側が樹脂でコーティングされた厚紙で成型されたものであることが好ましい。この樹脂は例えば生分解性樹脂、耐水性樹脂が用いられる。
【００１２】
流動性物質１７が、水および水溶液のいずれかの液体、水と砂とからなるスラリー、澱粉および寒天およびカルボキシメチルセルロースのいずれかと炭酸カルシウムと水とからなるゲル、澱粉およびタルクのいずれかの粉体、穀類および固形肥料および生分解性樹脂のいずれかの粒体から選ばれる一種類であることが好ましい。経済性の観点から流動性物質１７が水であると一層好ましい。
【００１３】
ボトル１８や流動性物質１７を形成するこれらの材質はいずれも無害である。空包射撃の際、砲筒２５の先端から砲外へ吐出する模擬弾丸１９の破裂したボトルやその破断小片、および砲外へ出たボトルから流出する流動性物質は、地上に落下する。それらのうち例えば水はそのまま大地に吸収され、紙や澱粉や生分解性樹脂等の有機物は微生物によって分解されて大地に吸収される。そのため空包射撃後に模擬砲弾１９やその破断小片を回収したり清掃したりする必要がなく、環境保全上も問題はない。
【００１４】
空包の発射薬１５は実包の発射薬と、同種の速燃性物質を同量用いることが好ましい。これの燃焼により、実包射撃と同様な音響や振動の効果、および充分な圧力の燃焼ガスが得られる。
【００１５】
この空包１の重量および形状は、実包４０（図３参照）とほぼ同じである。
【００１６】
空包１の模擬弾丸１９が十分な重量を有しているため、模擬弾丸１９発射の強い反作用が得られる。この反作用により莢底１３が排出されるので、迅速かつ簡便に次弾の空包の装填ができる。
【００１７】
一方、模擬弾丸１９は砲筒２５内で旋転されながら砲外へ発射される。燃焼の衝撃により破裂したボトル１８の裂け目から流動性物質１７を振り撒きながら、模擬砲弾１９は至近距離に落下するので、安全である。
【００１８】
薬莢筒体１４や押え蓋１６は、燃焼性が高く残渣の残らない焼尽性の材質であるニトロセルロースを主成分とした成型原材を圧搾成型したものを用いることが好ましい。空包射撃の際、発射薬１５の燃焼熱により、薬莢筒体１４や押え蓋１６は残渣を残すことなく完全燃焼する。そのため火砲２内の清浄が維持される。
【００１９】
押え蓋１６は、空包１の製造途中を示している図２のとおり、焼尽性円板であって、円板の中心から外周に向かって切り込み２１が設けられていることが好ましい。押え蓋１６は、切り込み２１を捲き込んで笠状にして、先細りになっている薬莢筒体１４の上端の開口から挿入された後、自らの復元力により円板状に戻って、発射薬１５を覆う。捲き込み難い厚めの押え蓋１枚を用いるよりも、捲き込み易い薄めの複数枚の押え蓋を用いる方が好ましい。作業効率がよいうえ、発射薬着火時の密閉性と発射薬燃焼開始直後の圧力保持性とを一層高めることができるからである。これにより実包射撃時と同音量の射撃音と、模擬弾丸１９を発射するのに充分な燃焼ガスの圧力とが得られる。
【００２０】
【発明の実施の形態】
以下、本発明の実施例を詳細に説明する。
図１は、本発明を適用する空包１の実施例を示す正面部分断面図である。
【００２１】
この空包１は、薬室２４の内壁が先細りの内錘形を形成している火砲２に装填されて使用されるものである。
【００２２】
この空包１は、焼尽性薬莢筒体１４と、この薬莢筒体１４に接続されその下端を塞いでいる金属製莢底１３と、この薬莢筒体１４に挿入されその上端を塞いでいる模擬弾丸１９とからなっている。
【００２３】
焼尽性薬莢筒体１４の外壁が、薬室２４の内錘斜面にあたる、先細りの外錘形を形成している。焼尽性薬莢筒体１４は、ニトロセルロースを主成分としパルプ、粘結剤を含む成型原材を圧搾成型したものである。この薬莢筒体１４の下端は、わずかに絞られ、莢底１３に接続されている。薬莢筒体１４と莢底１３とが接着剤で接着されることにより、薬莢筒体１４の下端は塞がれている。
【００２４】
莢底１３の中央に螺子穴があけられている。火管１１が、この螺子穴に螺合して莢底１３を貫通している。莢底１３の外周にはフランジ１２が設けられている。
【００２５】
焼尽性薬莢筒体１４には多少の余裕をもって発射薬１５が充填されている。発射薬１５は火管１１と接触している。発射薬１５には、円板状の重なった３枚の押え蓋１６が覆っている。押え蓋１６はニトロセルロースを主成分とする前記の成型原材を圧搾成型した円板であって、その円板の中心から外周に向けて設けられた半径長の切り込み２１を有している。押え蓋１６の径は、焼尽性薬莢筒体１４の中ほどで均等になっている内径とほぼ同じである。切り込み２１を捲き込んで笠状にした３枚目の押え蓋１６が、焼尽性薬莢筒体１４へ挿入されている途中を示す図２のとおり、３枚の押え蓋１６は、各々切り込み２１を少しずつずらして重なり合わされている。
【００２６】
内面側を耐水性の樹脂でコーティングされた厚紙で成型されたボトル１８に、流動性物質１７である水の充満された模擬弾丸１９が、焼尽性薬莢筒体１４の上端に挿入されている。ボトル１８の底面が押え蓋１６を押えつけている。ボトル１８と焼尽性薬莢筒体１４とが、接着剤で接着されている。ボトル１８の頂端にあいた水の注入口は、生分解性樹脂や耐水性樹脂またはコルクでできたボトル栓２０により、封鎖されている。
【００２７】
ボトル１８に流動性物質１７が充満されていると、空包１の模擬弾丸１９の重量と実包４０の弾丸３９の重量とは近似する。焼尽性薬莢筒体１４と金属製莢底１３とで、実包用の薬莢３８とほぼ同じ形状を形成している。また空包１の重量および形状は、実包４０とほぼ同じである（図３参照）。
【００２８】
この空包１は以下のようにして使用される。
先ず、空包１を薬室２４へ装填する。火砲２の砲尾に設けられた溝にフランジ１２を係合させ、閉鎖器２２により砲尾を閉鎖する。焼尽性薬莢筒体１４の先細りとなっている外壁錘が、薬室２４の先細りの内錘形の内錘斜面と適合してあたる。電気発火式の火管１１に接触する電極（不図示）から電流を流す。すると火管１１が発火し、発射薬１５の燃焼を誘起する。
【００２９】
この燃焼により発生した燃焼ガスが、薬莢筒体１４内部の圧力を上昇させ、遂には押え蓋１６を破断するとともに、模擬弾丸１９を発射させる。その衝撃でボトル１８の一部が破裂した模擬弾丸１９は、燃焼ガスの圧力により砲筒２５内を旋転しながら突き進み、砲外へ出る。模擬砲弾１９の旋転により、ボトル１８の裂け目から水が振り撒かれる。すると、模擬弾丸１９の運動エネルギーは急速に失われる結果、模擬弾丸１９は急激に減速し至近距離に落下する。振り撒かれた水や、破裂したボトルあるいはその破断小片は、軽くて運動エネルギーも小さいので器物等に衝突しても損壊させることがなく、遠くまで飛散しない。
【００３０】
焼尽性薬莢筒体１４や破断した押え蓋１６は、完全燃焼する。その結果、残渣が残留しないので火砲２内の清浄が維持される。さらに薬莢筒体１４や押え蓋１６は、発射薬に比較し燃焼温度が低いため、火砲２内の過剰な温度上昇を抑制している。
【００３１】
空包１の模擬弾丸１９が、十分な重量を有しているため、実包射撃の場合と同程度の模擬弾丸１９発射の強い反作用を生じる。この反作用により莢底１３が排出される。すぐさま次弾の空包１を薬室２４へ装填し、安全かつ迅速に同様の操作が繰返され、連続射撃が行なわれる。
【００３２】
なお、ボトル１８には予め水１７を充満させておいてもよいが、使用直前に現場近傍で充満させてもよい。
【００３３】
【発明の効果】
以上、詳細に説明したように、本発明の空包は、実包とほぼ同じの重量と形状とを有しているので、実包の使用を想定した演習に使用することができる。この空包は、実包射撃の場合と同様な操作により、実包さながらの射撃音が得られる。また、安全に連続して射撃することができる。さらに、火砲内外に残渣のほとんど残留しないため、回収や清掃の必要がない。この空包は簡便に製造することができる。
【図面の簡単な説明】
【図１】本発明を適用する空包の実施例を示す正面部分断面図である。
【図２】本発明を適用する空包を製造している途中を示す図である。
【図３】本発明を適用外の空包の正面部分断面図である。
【符号の説明】
１は空包、２は火砲、１１は火管、１２はフランジ、１３は莢底、１４は焼尽性薬莢筒体、１５は発射薬、１６は押え蓋、１７は流動性物質、１８はボトル、１９は模擬弾丸、２０はボトル栓、２１は切り込み、２２は閉鎖器、２４は薬室、２５は砲筒、３０は空包、３１は火管、３２はフランジ、３３は薬莢、３５は発射薬、３６はフェルト、３７は空包栓、３８は薬莢、３９は弾丸、４０は実包である。
【図１】
0004603147.tif 000002
【図２】
0004603147.tif 000003
【図３】
0004603147.tif 000004